(57)【要約】      （修正有）【課題】直交周波数分割多元接続（ＯＦＤＭＡ）フレームフォーマットを提供する。【解決手段】２０メガヘルツ（ＭＨｚ）チャネルを介して通信される直交周波数分割多元接続（ＯＦＤＭＡ）フレーム３０１は、８個の２６トーンリソースユニット（ＲＵ）３１０、１個の２６トーンの二分されたＲＵ３１１、３１２及び直流（ＤＣ）領域３５０を含む。８個の２６トーンＲＵは、２６個の連続するデータ及びパイロットトーンを含むことができ、二分された２６トーンＲＵは、２個の１３トーンの部分に分割され得るとともに、その各々は、１３個の連続するデータ及びパイロットトーンを含む。ＤＣ領域は、７個のヌルトーンを含み得る。２０ＭＨｚのＭＵ−ＯＦＤＭＡフレームのＤＣ領域３５０は、３個のＤＣトーン３３０と４個のヌルデータトーン３２０で構成される。【選択図】図３Ａ
2020025291.tif 000002
【特許請求の範囲】
【請求項１】
方法であって、
直交周波数分割多元接続（ＯＦＤＭＡ）フレームを送信するステップであって、前記ＯＦＤＭＡフレームが、第１組のデータ及びパイロットトーン、第２組のデータ及びパイロットトーン、並びに前記第１組のデータ及びパイロットトーンと前記第２組のデータ及びパイロットトーンとの間に配置される直流（ＤＣ）領域を含み、前記ＤＣ領域がデータ及びパイロットシグナリングを考慮しない７個のヌルトーンで構成される、ステップを含む、方法。
【請求項２】
前記ＯＦＤＭＡフレームが２０メガヘルツ（ＭＨｚ）チャネルを介して送信され、前記ＤＣ領域内の前記７個のヌルトーンが３個のＤＣトーンと４個のヌルデータトーンで構成される、請求項１に記載の方法。
【請求項３】
前記ＯＦＤＭＡフレームが複数のデータストリームを搬送し、前記第１組のデータ及びパイロットトーンが、４個の２６トーンリソースユニット（ＲＵ）、並びに二分された２６トーンＲＵの最初の１３個のトーンで構成され、前記第２組のデータ及びパイロットトーンが、４個の２６トーンＲＵ、並びに前記二分された２６トーンＲＵの残りの１３個のトーンで構成される、請求項２に記載の方法。
【請求項４】
前記ＯＦＤＭＡフレームが、第１エッジ領域内の第１組の２個のヌルトーン、及び第２エッジ領域内の第２組の２個のヌルトーンを更に含み、前記第１エッジ領域が、第１ペアのヌルトーン、及び６個のガードトーンで構成され、前記第２エッジ領域が、第２ペアのヌルトーン、及び５個のガードトーンで構成される、請求項３に記載の方法。
【請求項５】
前記第１組のデータ及びパイロットトーンが、前記第１エッジ領域と前記ＤＣ領域との間に配置され、前記第２組のデータ及びパイロットトーンが、前記ＤＣ領域と前記第２エッジ領域との間に配置される、請求項４に記載の方法。
【請求項６】
前記ＯＦＤＭＡフレームが８０メガヘルツ（ＭＨｚ）チャネルを介して送信され、前記ＤＣ領域内の前記７個のヌルトーンが７個のＤＣトーンを含む、請求項１に記載の方法。
【請求項７】
前記ＯＦＤＭＡフレームが、第３組のデータ及びパイロットトーン、及び第４組のデータ及びパイロットトーンを更に含み、前記第４組のデータ及びパイロットトーンが、前記第１組のデータ及びパイロットトーンと第１エッジ領域との間に配置され、前記第３組のデータ及びパイロットトーンが、前記第２組のデータ及びパイロットトーンと第２エッジ領域との間に配置される、請求項６に記載の方法。
【請求項８】
前記ＯＦＤＭＡフレームが複数のデータストリームを搬送し、前記第１組のデータ及びパイロットトーンが、９個の２６トーンリソースユニット（ＲＵ）、並びに二分された２６トーンＲＵの最初の１３個のトーンで構成され、前記第２組のデータ及びパイロットトーンが、９個の２６トーンＲＵ、並びに前記二分された２６トーンＲＵの残りの１３個のトーンで構成され、前記第３組のデータ及びパイロットトーンが、９個の２６トーンＲＵで構成され、前記第４組のデータ及びパイロットトーンが、９個の２６トーンＲＵで構成される、請求項７に記載の方法。
【請求項９】
前記ＯＦＤＭＡフレームが、前記第１エッジ領域に配置される第１組の８個のヌルトーン、前記第２エッジ領域に配置される第２組の８個のヌルトーン、前記第２組のデータ及びパイロットトーンと前記第３組のデータ及びパイロットトーンとの間に配置される第３組の８個のヌルトーン、並びに前記第１組のデータ及びパイロットトーンと前記第４組のデータ及びパイロットトーンとの間に配置される第４組の８個のヌルトーンを更に含む、請求項８に記載の方法。
【請求項１０】
前記第１エッジ領域が、前記第１組の８個のヌルトーン、及び１２個のガードトーンで構成され、前記第２エッジ領域が、前記第２組の８個のヌルトーン、及び１１個のガードトーンで構成される、請求項９に記載の方法。
【請求項１１】
前記ＯＦＤＭＡフレームが単一のデータストリームを搬送し、前記第１組のデータ及びパイロットトーン、前記第２組のデータ及びパイロットトーン、前記第３組のデータ及びパイロットトーン、並びに前記第４組のデータ及びパイロットトーンのそれぞれが、２４２個の連続するトーンで構成される、請求項７に記載の方法。
【請求項１２】
前記ＯＦＤＭＡフレームが二分された２６トーンＲＵを更に含み、前記ＤＣ領域が、前記二分されたＲＵの最初の１３個のトーンと前記二分されたＲＵの残りの１３個のトーンとの間に配置される、請求項１１に記載の方法。
【請求項１３】
装置であって、
プロセッサと、
前記プロセッサによる実行のためのプログラミングを記憶するコンピュータ読み取り可能な記憶媒体とを備え、前記プログラミングが、
直交周波数分割多元接続（ＯＦＤＭＡ）フレームを送信することであって、前記ＯＦＤＭＡフレームが、第１組のデータ及びパイロットトーン、第２組のデータ及びパイロットトーン、並びに前記第１組のデータ及びパイロットトーンと前記第２組のデータ及びパイロットトーンとの間に配置される直流（ＤＣ）領域を含み、前記ＤＣ領域がデータ及びパイロットシグナリングを考慮しない７個のヌルトーンで構成される、送信することを行うための命令を含む、装置。
【請求項１４】
前記ＯＦＤＭＡフレームが２０メガヘルツ（ＭＨｚ）チャネルを介して複数のデータストリームを搬送し、前記ＤＣ領域内の前記７個のヌルトーンが３個のＤＣトーンと４個のヌルデータトーンで構成され、前記第１組のデータ及びパイロットトーンが、４個の２６トーンリソースユニット（ＲＵ）、並びに二分された２６トーンＲＵの最初の１３個のトーンで構成され、前記第２組のデータ及びパイロットトーンが、４個の２６トーンＲＵ、並びに前記二分された２６トーンＲＵの残りの１３個のトーンで構成される、請求項１３に記載の装置。
【請求項１５】
前記ＯＦＤＭＡフレームが、第１エッジ領域内の第１組の２個のヌルトーン、及び第２エッジ領域内の第２組の２個のヌルトーンを更に含み、前記第１エッジ領域が、第１ペアのヌルトーン、及び６個のガードトーンで構成され、前記第２エッジ領域が、第２ペアのヌルトーン、及び５個のガードトーンで構成され、
前記第１組のデータ及びパイロットトーンが、前記第１エッジ領域と前記ＤＣ領域との間に配置され、前記第２組のデータ及びパイロットトーンが、前記ＤＣ領域と前記第２エッジ領域との間に配置される、請求項１４に記載の装置。
【請求項１６】
前記ＯＦＤＭＡフレームが８０メガヘルツ（ＭＨｚ）チャネルを介して送信され、前記ＤＣ領域内の前記７個のヌルトーンが７個のＤＣトーンを含む、請求項１５に記載の装置。
【請求項１７】
前記ＯＦＤＭＡフレームが、第３組のデータ及びパイロットトーン、及び第４組のデータ及びパイロットトーンを更に含み、前記第４組のデータ及びパイロットトーンが、前記第１組のデータ及びパイロットトーンと第１エッジ領域との間に配置され、前記第３組のデータ及びパイロットトーンが、前記第２組のデータ及びパイロットトーンと第２エッジ領域との間に配置される、請求項１６に記載の装置。
【請求項１８】
前記ＯＦＤＭＡフレームが複数のデータストリームを搬送し、前記第１組のデータ及びパイロットトーンが、９個の２６トーンリソースユニット（ＲＵ）、並びに二分された２６トーンＲＵの最初の１３個のトーンで構成され、前記第２組のデータ及びパイロットトーンが、９個の２６トーンＲＵ、並びに前記二分された２６トーンＲＵの残りの１３個のトーンで構成され、前記第３組のデータ及びパイロットトーンが、９個の２６トーンＲＵで構成され、前記第４組のデータ及びパイロットトーンが、９個の２６トーンＲＵで構成され、
前記ＯＦＤＭＡフレームが、前記第１エッジ領域に配置される第１組の８個のヌルトーン、前記第２エッジ領域に配置される第２組の８個のヌルトーン、前記第２組のデータ及びパイロットトーンと前記第３組のデータ及びパイロットトーンとの間に配置される第３組の８個のヌルトーン、並びに前記第１組のデータ及びパイロットトーンと前記第４組のデータ及びパイロットトーンとの間に配置される第４組の８個のヌルトーンを更に含み、
前記第１エッジ領域が、前記第１組の８個のヌルトーン、及び１２個のガードトーンで構成され、前記第２エッジ領域が、前記第２組の８個のヌルトーン、及び１１個のガードトーンで構成される、請求項１７に記載の装置。
【請求項１９】
前記ＯＦＤＭＡフレームが単一のデータストリームを搬送し、前記第１組のデータ及びパイロットトーン、前記第２組のデータ及びパイロットトーン、前記第３組のデータ及びパイロットトーン、並びに前記第４組のデータ及びパイロットトーンのそれぞれが、２４２個の連続するトーンで構成され、
前記ＯＦＤＭＡフレームが二分された２６トーンＲＵを更に含み、前記ＤＣ領域が、前記二分されたＲＵの最初の１３個のトーンと前記二分されたＲＵの残りの１３個のトーンとの間に配置される、請求項１７に記載の装置。
【請求項２０】
方法であって、
モバイル機器により直交周波数分割多元接続（ＯＦＤＭＡ）フレームを受信するステップであって、前記ＯＦＤＭＡフレームが、第１組のデータ及びパイロットトーン、第２組のデータ及びパイロットトーン、並びに前記第１組のデータ及びパイロットトーンと前記第２組のデータ及びパイロットトーンとの間に配置される直流（ＤＣ）領域を含み、前記ＤＣ領域がデータ及びパイロットシグナリングを考慮しない７個のヌルトーンで構成される、ステップと、
前記ＯＦＤＭＡフレームの少なくとも一部を復号するステップとを含む、方法。
【請求項２１】
装置であって、
プロセッサと、
前記プロセッサによる実行のためのプログラミングを記憶するコンピュータ読み取り可能な記憶媒体とを備え、前記プログラミングが、
直交周波数分割多元接続（ＯＦＤＭＡ）フレームを受信することであって、前記ＯＦＤＭＡフレームが、第１組のデータ及びパイロットトーン、第２組のデータ及びパイロットトーン、並びに前記第１組のデータ及びパイロットトーンと前記第２組のデータ及びパイロットトーンとの間に配置される直流（ＤＣ）領域を含み、前記ＤＣ領域がデータ及びパイロットシグナリングを考慮しない７個のヌルトーンで構成される、受信することと、
前記ＯＦＤＭＡフレームの少なくとも一部を復号することとを行うための命令を含む、装置。
【請求項２２】
プログラムが記録されたコンピュータ読み取り可能な記録媒体であって、前記プログラムが実行されると、コンピュータに、
直交周波数分割多元接続（ＯＦＤＭＡ）フレームを送信するステップであって、前記ＯＦＤＭＡフレームが、第１組のデータ及びパイロットトーン、第２組のデータ及びパイロットトーン、並びに前記第１組のデータ及びパイロットトーンと前記第２組のデータ及びパイロットトーンとの間に配置される直流（ＤＣ）領域を含み、前記ＤＣ領域がデータ及びパイロットシグナリングを考慮しない７個のヌルトーンで構成される、ステップを実行させる、コンピュータ読み取り可能な記録媒体。
【請求項２３】
プログラムが記録されたコンピュータ読み取り可能な記録媒体であって、前記プログラムが実行されると、コンピュータに、
直交周波数分割多元接続（ＯＦＤＭＡ）フレームを受信するステップであって、前記ＯＦＤＭＡフレームが、第１組のデータ及びパイロットトーン、第２組のデータ及びパイロットトーン、並びに前記第１組のデータ及びパイロットトーンと前記第２組のデータ及びパイロットトーンとの間に配置される直流（ＤＣ）領域を含み、前記ＤＣ領域がデータ及びパイロットシグナリングを考慮しない７個のヌルトーンで構成される、ステップと、
前記ＯＦＤＭＡフレームの少なくとも一部を復号するステップとを実行させる、コンピュータ読み取り可能な記録媒体。
【請求項２４】
請求項１〜請求項１２のいずれかに記載の方法をコンピュータに実行させるプログラム。
【請求項２５】
請求項２０に記載の方法をコンピュータに実行させるプログラム。
【発明の詳細な説明】
【技術分野】
【０００１】
本出願は、２０１５年１月２６日に出願され、“System  and  Method  for  Alignment  of  OFDMA  Resource  Units  in  TGax”と表題が付けられた米国仮出願第６２／１０７，９３６号の利益を主張するものであり、その出願は参照により本明細書に組み込まれている。
【０００２】
技術分野
本発明は、無線通信のためのシステム及び方法に関し、特に、直交周波数分割多重（ＯＦＤＭ）フレームフォーマットを通信するためのシステム及び方法に関する。
【背景技術】
【０００３】
次世代の無線ローカルエリアネットワーク（ＷＬＡＮ）は、同じ地理的エリアにある多数のステーション（ＳＴＡ）への無線アクセスを提供するアクセスポイント（ＡＰ）を含む、高密度環境に展開されることになる。ストリーミングビデオ、モバイルゲーム、及びその他のサービスへのアクセスにモバイル機器がますます使用されているため、次世代のＷＬＡＮは、多様なサービス品質（ＱｏＳ）要件を有する様々なトラフィックタイプを同時にサポートすることが望ましい。
【発明の概要】
【０００４】
技術的利点は、一般的に、直交周波数分割多重（ＯＦＤＭ）フレームフォーマットを通信するためのシステム及び方法を説明する本開示の実施例により達成される。
【０００５】
一実施例によれば、データを通信するための方法が提供される。この例では、方法は、直交周波数分割多元接続（ＯＦＤＭＡ）フレームを送信するステップを含む。ＯＦＤＭＡフレームは、第１組のデータ及びパイロットトーン、第２組のデータ及びパイロットトーン、並びに第１組のデータ及びパイロットトーンと第２組のデータ及びパイロットトーンとの間に配置される直流（ＤＣ）領域を含む。ＤＣ領域は、データ及びパイロットシグナリングを考慮しない７個のヌルトーンで構成される。この方法を実行するための装置が、同様に提供される。
【０００６】
別の実施例によれば、データを通信するための別の方法が提供される。この例では、方法は、直交周波数分割多元接続（ＯＦＤＭＡ）フレームを受信するステップを含む。ＯＦＤＭＡフレームは、第１組のデータ及びパイロットトーン、第２組のデータ及びパイロットトーン、並びに第１組のデータ及びパイロットトーンと第２組のデータ及びパイロットトーンとの間に配置される直流（ＤＣ）領域を含む。ＤＣ領域は、データ及びパイロットシグナリングを考慮しない７個のヌルトーンで構成される。方法は、ＯＦＤＭＡフレームの少なくとも一部を復号するステップを更に含む。この方法を実行するための装置が、同様に提供される。
【０００７】
本発明及びその利点のより完全な理解のために、添付の図面とともに読まれる下記の説明に対して、ここで参照が行われる。
【図面の簡単な説明】
【０００８】
【図１】データを通信するためのＷｉＦｉネットワークの図である。
【図２】直交周波数分割多重（ＯＦＤＭ）フレームのための、実施例のフレーム構造である。
【図３Ａ】２０メガヘルツ（ＭＨｚ）チャネルを介して通信されるマルチユーザ直交周波数分割多元接続（ＯＦＤＭＡ）（ＭＵ−ＯＦＤＭＡ）フレームのための、実施例のトーンプランを示す図である。
【図３Ｂ】２０ＭＨｚチャネルを介して通信されるシングルユーザＯＦＤＭＡ（ＳＵ−ＯＦＤＭＡ）フレームのための、実施例のトーンプランを示す図である。
【図４Ａ】４０ＭＨｚのチャネルを介して通信されるＭＵ−ＯＦＤＭＡフレームのための、実施例のトーンプランを示す図である。
【図４Ｂ】４０ＭＨｚのチャネルを介して通信されるＳＵ−ＯＦＤＭＡフレームのための、実施例のトーンプランを示す図である。
【図５Ａ】８０ＭＨｚのチャネルを介して通信されるＭＵ−ＯＦＤＭＡフレームのための、実施例のトーンプランを示す図である。
【図５Ｂ】８０ＭＨｚのチャネルを介して通信されるＳＵ−ＯＦＤＭＡフレームのための、実施例のトーンプランを示す図である。
【図６Ａ】８０ＭＨｚのチャネルを介して通信されるＭＵ−ＯＦＤＭＡフレームのための、別の実施例のトーンプランを示す図である。
【図６Ｂ】８０ＭＨｚのチャネルを介して通信されるＳＵ−ＯＦＤＭＡフレームのための、別の実施例のトーンプランを示す図である。
【図７】２０ＭＨｚのＯＦＤＭＡフレームのための、実施例のトーンプランを例示する。
【図８】４０ＭＨｚのＯＦＤＭＡフレームのための、実施例のトーンプランを例示する。
【図９】８０ＭＨｚのＯＦＤＭＡ及びＳＵフレームのための、実施例のトーンプランを例示する。
【図１０】８０ＭＨｚのＯＦＤＭＡ及びＳＵフレームのための、追加の実施例のトーンプランを例示する。
【図１１】実施例の処理システムのブロック図である。
【図１２】実施例のトランシーバのブロック図である。
【発明を実施するための形態】
【０００９】
異なる図面における対応する数字及び記号は、他に示されない限り、概して、対応する部分を指す。図面は、実施例の関連する態様を明確に例示するために描かれたものであり、必ずしも一定の縮尺で描かれているわけではない。
【００１０】
手始めに、１つ又は複数の実施例の例示的な実装が下記に提供されるが、開示されたシステム及び／又は方法は、現在知られているか又は知られていないかに関係なく、任意の数の技術を使用して実装されてもよい、ということが理解されるべきである。本開示は、本明細書で例示及び説明される設計及び実装を含む、下記に例示される例示的な実装、図面及び技術に決して限定されるべきではなく、それらの均等物の全範囲と共に添付の請求項の範囲内で変更され得る。
【００１１】
米国電気電子学会（ＩＥＥＥ）８０２．１１ａｃは、２．５ギガヘルツ（ＧＨｚ）及び５ギガヘルツのキャリア周波数でデータを通信するためのＷＬＡＮプロトコルを定義しており、最大６．７７ギガビット／秒（Ｇｉｔｓ／ｓ）の総スループットレートをサポートすることができ得る。次世代ＷＬＡＮの性能目標を満たすために更に高いスループットレートが必要になる場合がある。その結果、ＩＥＥＥ８０２．１１ａｃの拡張として、ＩＥＥＥ８０２．１１ａｘが、２．４ＧＨｚ及び５ＧＨｚのキャリア周波数で最大１０ギガビットを提供することを目指して開発されている。
【００１２】
本明細書では、２０メガヘルツ（ＭＨｚ）、４０ＭＨｚ、及び８０ＭＨｚチャネルを介して直交周波数分割多元接続（ＯＦＤＭＡ）フレームを通信するための、実施例のトーンプランが提供される。実施例のトーンプランのうちの１つ又は複数は、ＩＥＥＥ８０２．１１ａｘによって採用され得る。一実施例では、マルチユーザＯＦＤＭＡ（ＭＵ−ＯＦＤＭＡ）フレームが、２０ＭＨｚチャネルを介して通信される。ＭＵ−ＯＦＤＭＡフレームは、異なるリソースユニット（ＲＵ）において複数のデータストリームを１つ又は複数の受信デバイスに搬送することができる。２０ＭＨｚのＭＵ−ＯＦＤＭＡフレームは、８個の２６トーンリソースユニット（ＲＵ）、１個の２６トーンの二分されたＲＵ、及び直流（ＤＣ）領域を含むことができる。８個の２６トーンＲＵは２６個の連続するデータ及びパイロットトーンを含み、二分された２６トーンＲＵは、２個の１３トーンの部分に分割されるとともに、その各々は、１３個の連続するデータ及びパイロットトーンを含む。ＤＣ領域は、７個のヌルトーンを含むことができる。一例では、２０ＭＨｚのＭＵ−ＯＦＤＭＡフレームのＤＣ領域は、３個のＤＣトーンと４個のヌルデータトーンで構成される。ヌルトーンは、ＤＣトーン、ガードトーン、及び／又はヌルデータトーン（例えば、ヌルトーンとして再利用されたデータトーン）などの、データ、パイロット、及び制御シグナリングを考慮しないトーンである。ヌルトーンは、隣接するＲＵによって搬送されるそれぞれのデータストリームの間のシンボル間干渉を軽減するために、ＯＦＤＭＡフレーム内の隣接するＲＵの間に配置されてもよい。ヌルトーンは、同様に、搬送波間干渉を緩和し、送信フィルタリング及び他の影響による歪みからエッジ領域の近くにあるＲＵを保護するために、隣接する搬送波の間に（例えば、エッジ領域内に）配置されることができる。８個の２６トーンＲＵ、及び二分されたＲＵのそれぞれの１３トーン部分は、２つのデータ及びパイロット領域に分散され、ＤＣ領域は、それらのデータ及びパイロット領域の間に配置される。特に、２６トーンＲＵのうちの４個、及び二分されたＲＵの一方の１３トーン部分が、一方のデータ及びパイロット領域に配置されることができ、残りの４個の２６トーンＲＵ、及び二分されたＲＵの他方の１３トーン部分が、他方のデータ及びパイロット領域に配置されることができる。データ及びパイロット領域のそれぞれは、ＤＣ領域と対応するエッジ領域との間に配置されることができる。エッジ領域のうちの一方は、ヌルデータトーンのペア、及び６個のガードトーンを含むことができる。他方のエッジ領域は、ヌルデータトーンのペア、及び５個のガードトーンを含むことができる。
【００１３】
別の実施例では、ＭＵ−ＯＦＤＭＡフレームが、８０ＭＨｚチャネルを介して通信される。８０ＭＨｚのＭＵ−ＯＦＤＭＡフレームは、３６個の２６トーンＲＵと、１個の２６トーンの二分されたＲＵと、７個のＤＣトーンで構成されるＤＣ領域とを含む。ＲＵは、２個の最も内側のデータ及びパイロット領域、並びに２個の最も外側のデータ及びパイロット領域に分散されることができる。一例では、２６トーンＲＵのうちの９個、及び二分されたＲＵのうちの１個の１３トーン部分が、最も内側のデータ及びパイロット領域のそれぞれに配置され、そして２６トーンＲＵのうちの９個が、最も外側のデータ及びパイロット領域のそれぞれに配置される。ＤＣ領域は、最も内側のデータ及びパイロット領域の間に配置されることができ、最も外側のデータ及びパイロット領域の各１つは、最も内側のデータ及びパイロット領域のそれぞれの１つと、対応するエッジ領域との間に配置されることができる。エッジ領域のうちの一方は、８個のヌルデータトーン及び１２個のガードトーンの組を含むことができる。他方のエッジ領域は、８個のヌルデータトーン及び１１個のガードトーンの組を含むことができる。いくつかの実施例では、８個のヌルデータトーンの組が、それぞれの最も内側のデータ領域と、対応する最も外側のデータ及びパイロット領域との間に配置される。そのような実施例では、８０ＭＨｚのＭＵ−ＯＦＤＭＡフレームは、３６個のヌルデータトーンを搬送することができる。
【００１４】
別の実施例では、単一ユーザＯＦＤＭＡ（ＳＵ−ＯＦＤＭＡ）フレームが、８０ＭＨｚチャネルを介して通信される。ＳＵ−ＯＦＤＭＡフレームは、単一のデータストリームを受信デバイスに対して搬送することができる。一例では、８０ＭＨｚのＳＵ−ＯＦＤＭＡフレームは、９９４個のデータ及びパイロットトーン、２６トーンの二分されたＲＵ、及び７個のＤＣトーンを含む。９９４個のデータ及びパイロットトーンは、２個の最も内側のデータ及びパイロット領域、並びに２個の最も外側のデータ及びパイロット領域にわたって分散される。２個の最も内側のデータ及びパイロット領域は、それぞれ、２４２個の連続するデータ及びパイロットトーン、並びに二分されたＲＵのうちの１個の１３トーン部分を搬送する。２個の最も外側のデータ及びパイロット領域は、それぞれ、２４２個の連続するデータ及びパイロットトーンを搬送する。８０ＭＨｚのＭＵ−ＯＦＤＭＡフレームと同様に、８０ＭＨｚのＳＵ−ＯＦＤＭＡフレーム内のＤＣ領域は、最も内側のデータ及びパイロット領域の間に配置されることができる。８０ＭＨｚＳＵ−ＯＦＤＭＡフレーム内の最も外側のデータ及びパイロット領域の各１つは、最も内側のデータ及びパイロット領域のそれぞれの１つと、対応するエッジ領域との間に配置されることができる。エッジ領域のうちの一方は１２個のガードトーンを含み、他方のエッジ領域は１１個のガードトーンを含む。これらの態様及び他の態様が、下記でより詳細に説明される。
【００１５】
図１は、データを通信するためのネットワーク１００を例示する。ネットワーク１００は、カバレッジエリア１０１を有するアクセスポイント（ＡＰ）１１０と、複数の移動局１２０と、バックホールネットワーク１３０とを備える。図示されるように、ＡＰ１１０は、移動局１２０との間のアップリンク（破線）及び／又はダウンリンク（点線）接続を確立し、それは移動局１２０からＡＰ１１０へデータを搬送するように働くとともに、逆もまた同様である。アップリンク／ダウンリンク接続を介して搬送されるデータは、バックホールネットワーク１３０を経由してリモートエンド（図示せず）と通信されるデータと同様に、移動局１２０間で通信されるデータを含むことができる。本明細書で使用されるように、“アクセスポイント（ＡＰ）”という用語は、拡張基地局（ｅＮＢ）、マクロセル、フェムトセル、ＷｉＦｉアクセスポイント（ＡＰ）、又は他の無線で使用可能にされたデバイスのような、ネットワークへの無線アクセスを提供するように構成された任意のコンポーネント（又は、コンポーネントの集合）のことを指す。ＡＰは、例えばＷｉＦｉ  ８０２．１１ａ／ｂ／ｇ／ｎ／ａｃ／ａｘ、ロングタームエボリューション（ＬＴＥ）、ＬＴＥアドバンスド（ＬＴＥ−Ａ）、ハイスピードパケットアクセス（ＨＳＰＡ）などの１つ又は複数の無線通信プロトコルに従って無線アクセスを提供することができる。本明細書で使用されるように、“移動局”という用語は、ステーション（ＳＴＡ）、ユーザ機器（ＵＥ）、及び他の無線で使用可能にされたデバイスのような、ＡＰとの無線接続を確立することができる任意のコンポーネント（又は、コンポーネントの集合）のことを指す。いくつかの実施例では、ネットワーク１００は、中継器（relay）、低電力ノードなどの様々な他の無線デバイスを含むことができる。
【００１６】
図２は、ダウンリンク（ＤＬ）ＯＦＤＭフレーム２００のための、実施例のフレーム構造の図である。図示されるように、ダウンリンクＯＦＤＭフレーム２００は、レガシーショートトレーニングフィールド（Ｌ−ＳＴＦ）／ロングトレーニングフィールド（ＬＴＦ）２０１、レガシーシグナリングフィールド（Ｌ−ＳＩＧ）／反復レガシー（ＲＬ）ＳＩＧフィールド２０２、高効率（ＨＥ）第１信号（ＳＩＧＡ）フィールド２０４、ＨＥ第２信号（ＳＩＧＢ）フィールド２０６、ＨＥ−ＳＴＦ／ＬＴＦフィールド２０８、及びデータペイロードフィールド２１０を含む。スケジューリングインデックス情報はＳＩＧＢフィールド２０６に埋め込まれる。インデックス情報は、個々のＳＴＡ、若しくはＳＴＡのグループに割り当てられた識別子（ＩＤ）と、ＯＦＤＭフレームによって搬送されるＲＵのシーケンス内の割り当てられたＲＵのサブセットの開始位置又は終了位置とを関連付ける。例えば、スケジューリングインデックス情報は、ＳＴＡに割り当てられたＲＵのサブセット内のリーディング（leading）ＲＵ及び／又はトレーリング（trailing）ＲＵを示すことができ、ＳＴＡが、フレームを受信すると、割り当てられたＲＵのサブセットを見つけることを可能にすることができる。
【００１７】
図３Ａは、２０ＭＨｚチャネルを介して通信されるＭＵ−ＯＦＤＭＡフレーム３０１のための、実施例のトーンプランを示す図である。図示されるように、ＭＵ−ＯＦＤＭＡフレーム３０１は、８個の２６トーンＲＵ３１０、二分された２６トーンＲＵの２つの部分３１１、３１２、ヌルデータトーン３２０、及びＤＣトーン３３０を含む。この例では、３個のＤＣトーン３３０と４個のヌルデータトーン３２０がＤＣ領域３５０に含まれる。２６トーンＲＵ３１０のうちの４個と、二分されたＲＵの一方の部分３１１が、データ及びパイロット領域３８１に含まれ、２６トーンＲＵ３１０のうちの４個と、二分されたＲＵの残りの部分３１２が、データ及びパイロット領域３８２に含まれる。ＤＣ領域３５０は、データ及びパイロット領域３８１とデータ及びパイロット領域３８２との間に配置される。ヌルデータトーン３２０のうちの２つはエッジ領域３９１に含まれ、ヌルデータトーン３２０のうちの２つはエッジ領域３９２に配置される。さらに、６個のガードトーン３４０がエッジ領域３９１に含まれ、５個のガードトーン３４０がエッジ領域３９２に含まれる。いくつかの実施例では、ガードトーン３４０は、ＭＵ−ＯＦＤＭＡフレーム３０１が送信される２０ＭＨｚチャネル内に含まれる。他の実施例では、ガードトーン３４０は、ＭＵ−ＯＦＤＭＡフレーム３０１が送信される２０ＭＨｚチャネルの外側に配置される。
【００１８】
図３Ｂは、２０ＭＨｚチャネルを介して通信されるＳＵ−ＯＦＤＭＡフレーム３０２のための、実施例のトーンプランを示す図である。図示されるように、ＳＵ−ＯＦＤＭＡフレーム３０２は、データ及びパイロット領域３１５、３１６、並びにＤＣトーン３３０を含む。この例では、データ及びパイロット領域３１５、３１６は、それぞれ、１２１個の連続するデータ及びパイロットトーンを含む。ＤＣトーン３３０は、データ及びパイロット領域３１５とデータ及びパイロット領域３１６との間に配置される。データ及びパイロット領域３１５は、６個のガードトーン３４０とＤＣトーン３３０との間に配置される。データ及びパイロット領域３１６は、ＤＣトーン３３０と５個のガードトーン３４０との間に配置される。いくつかの実施例では、ガードトーン３４０は、ＳＵ−ＯＦＤＭＡフレーム３０２が送信される２０ＭＨｚチャネル内に含まれる。他の実施例では、ガードトーン３４０は、ＳＵ−ＯＦＤＭＡフレーム３０２が送信される２０ＭＨｚチャネルの外側に配置される。
【００１９】
本開示の実施例は、４０ＭＨｚチャネルを介して通信されるＯＦＤＭＡフレームのためのトーンプランを提供する。図４Ａは、４０ＭＨｚチャネルを介して通信されるＭＵ−ＯＦＤＭＡフレーム４０１のための、実施例のトーンプランを示す図である。図示されるように、ＭＵ−ＯＦＤＭＡフレーム４０１は、１８個の２６トーンＲＵ４１０、ヌルデータトーン４２０、及びＤＣトーン４３０を含む。５個のＤＣトーン４３０、及び８個のヌルデータトーン４２０が、ＤＣ領域４５０に含まれる。２６トーンＲＵ４１０のうちの９個がデータ及びパイロット領域４８１に含まれ、２６トーンＲＵ４１０のうちの９個がデータ及びパイロット領域４８２に含まれる。ＤＣ領域４５０は、データ及びパイロット領域４８１とデータ及びパイロット領域４８２との間に配置される。４個のヌルデータトーン４２０がエッジ領域４９１に含まれ、４個のヌルデータトーン４２０がエッジ領域４９２に含まれる。さらに、１２個のガードトーン４４０がエッジ領域４９１に含まれ、１１個のガードトーン４４０がエッジ領域４９２に含まれる。いくつかの実施例では、ガードトーン４４０は、ＭＵ−ＯＦＤＭＡフレーム４０１が送信される４０ＭＨｚチャネル内に含まれる。他の実施例では、ガードトーン４４０は、ＭＵ−ＯＦＤＭＡフレーム４０１が送信される４０ＭＨｚチャネルの外側に配置される。
【００２０】
図４Ｂは、４０ＭＨｚチャネルを介して通信されるＳＵ−ＯＦＤＭＡフレーム４０２のための、実施例のトーンプランを示す図である。図示されるように、ＳＵ−ＯＦＤＭＡフレーム４０２は、データ及びパイロット領域４１５、４１６、並びにＤＣトーン４３０を含む。この例では、データ及びパイロット領域４１５、４１６は、それぞれ、２４２個の連続するデータ及びパイロットトーンを含む。ＤＣトーン４３０は、データ及びパイロット領域４１５とデータ及びパイロット領域４１６との間に配置される。データ及びパイロット領域４１５は、１２個のガードトーン４４０とＤＣトーン４３０との間に配置される。データ及びパイロット領域４１６は、ＤＣトーン４３０と１１個のガードトーン４４０との間に配置される。いくつかの実施例では、ガードトーン４４０は、ＳＵ−ＯＦＤＭＡフレーム４０２が送信される４０ＭＨｚチャネル内に含まれる。他の実施例では、ガードトーン４４０は、ＳＵ−ＯＦＤＭＡフレーム４０２が送信される４０ＭＨｚチャネルの外側に配置される。
【００２１】
本開示の実施例は、８０ＭＨｚチャネルを介して通信されるＯＦＤＭＡフレームのためのトーンプランを提供する。図５Ａは、８０ＭＨｚチャネルを介して通信されるＭＵ−ＯＦＤＭＡフレーム５０１のための、実施例のトーンプランを示す図である。図示されるように、ＭＵ−ＯＦＤＭＡフレーム５０１は、２６トーンＲＵ５１０、二分された２６トーンＲＵの部分５１１、５１２、ヌルデータトーン５２０、及び５個のＤＣトーン５３０を含む。この例では、２６トーンＲＵ５１０、及び二分されたＲＵの部分５１１、５１２は、４個のデータ及びパイロット領域５８１、５８２、５８３、５８４にわたって分散される。特に、データ及びパイロット領域５８１は、９個の２６トーンＲＵ５１０、及び二分されたＲＵの一方の部分５１１を含み、データ及びパイロット領域５８２は、９個の２６トーンＲＵ５１０、及び二分されたＲＵの残りの部分５１２を含む。４個のデータ及びパイロット領域５８３、５８４は、それぞれ、９個の２６トーンＲＵ５１０を含む。ＤＣ領域５５０は、データ及びパイロット領域５８１とデータ及びパイロット領域５８２との間に配置される。データ及びパイロット領域５８１は、ＤＣ領域とデータ及びパイロット領域５８４との間に配置され、データ及びパイロット領域５８２は、ＤＣ領域とデータ及びパイロット領域５８３との間に配置される。データ及びパイロット領域５８４は、データ及びパイロット領域５８１とエッジ領域５９１との間に配置され、データ及びパイロット領域５８３は、データ及びパイロット領域５８２とエッジ領域５９２との間に配置される。互いに対するそれらの相対的な配置のために、データ及びパイロット領域５８１、５８２は、本明細書では、ＭＵ−ＯＦＤＭＡフレーム５０１の最も内側のデータ及びパイロット領域と呼ばれ、データ及びパイロット領域５８３、５８４は、本明細書では、ＭＵ−ＯＦＤＭＡフレーム５０１の最も外側のデータ及びパイロット領域と呼ばれることができる。８個のヌルデータトーン５２０がエッジ領域５９１に含まれ、８個のヌルデータトーン５２０がエッジ領域５９２に含まれる。さらに、１３個のガードトーン５４０がエッジ領域５９１に含まれ、１２個のガードトーン５４０がエッジ領域５９２に含まれる。いくつかの実施例では、ガードトーン５４０は、ＭＵ−ＯＦＤＭＡフレーム５０１が送信される８０ＭＨｚチャネル内に含まれる。他の実施例では、ガードトーン５４０は、ＭＵ−ＯＦＤＭＡフレーム５０１が送信される８０ＭＨｚチャネルの外側に配置される。８個のヌルデータトーン５２０が、データ及びパイロット領域５８１とデータ及びパイロット領域５８４との間に配置される。同様に、８個のヌルデータトーン５２０が、データ及びパイロット領域５８２とデータ及びパイロット領域５８３との間に配置される。
【００２２】
図５Ｂは、８０ＭＨｚチャネルを介して通信されるＳＵ−ＯＦＤＭＡフレーム５０２のための、実施例のトーンプランを示す図である。図示されるように、ＳＵ−ＯＦＤＭＡフレーム５０２は、データ及びパイロット領域５１５、５１６、５１７、５１８、二分された２６トーンＲＵの部分５１１、５１２、及び５個のＤＣトーン５３０を含む。この例では、データ及びパイロット領域５１５、５１６、５１７、５１８は、それぞれ、２４２個の連続するデータ及びパイロットトーンを含む。５個のＤＣトーン５３０は、データ及びパイロット領域５１５とデータ及びパイロット領域５１６との間に配置される。データ及びパイロット領域５１５、５１８は、１２個のガードトーン５４０とＤＣトーン５３０との間に配置される。データ及びパイロット領域５１６、５１７は、ＤＣトーン５３０と１１個のガードトーン５４０との間に配置される。いくつかの実施例では、ガードトーン５４０は、ＳＵ−ＯＦＤＭＡフレーム５０２が送信される８０ＭＨｚチャネル内に含まれる。他の実施例では、ガードトーン５４０は、ＳＵ−ＯＦＤＭＡフレーム５０２が送信される８０ＭＨｚチャネルの外側に配置される。
【００２３】
図６Ａは、８０ＭＨｚチャネルを介して通信されるＭＵ−ＯＦＤＭＡフレーム６０１のための、実施例のトーンプランを示す図である。ＭＵ−ＯＦＤＭＡフレーム６０１内のＲＵ６１０、６１１、６１２、トーン６２０、６３０、６４０、及び領域６５０、６８１、６８２、６８３、６８４、６９１、６９２は、ＤＣ領域６５０が７個のＤＣトーン６３０を含み、エッジ領域６９１が１２個のガードトーン６４０を含むとともに、エッジ領域６９２が１１個のガードトーン６４０を含むことを除いて、ＭＵ−ＯＦＤＭＡフレーム５０１の同様の構成要素／領域と同様の配置及び構成を有する。
【００２４】
図６Ｂは、８０ＭＨｚチャネルを介して通信されるＳＵ−ＯＦＤＭＡフレーム６０２のための、実施例のトーンプランを示す図である。ＳＵ−ＯＦＤＭＡフレーム６０２内のデータ及びパイロット領域は、ＤＣ領域６５０が７個のＤＣトーン６３０を含み、さらにデータ及びパイロット領域６１８の外側に位置する１２個のガードトーン６４０とデータ及びパイロット領域６１７の外側に位置する１１個のガードトーン６４０とがあることを除いて、ＳＵ−ＯＦＤＭＡフレーム６０２の同様の構成要素／領域と同様の配置及び構成を有する。
【００２５】
本開示の態様は、米国電気電子学会（ＩＥＥＥ）８０２．１１ａｘネットワークのような無線環境で使用するための、実施例のフレームフォーマットを提供する。実施例は、２０ＭＨｚ、４０ＭＨｚ、及び８０ＭＨｚのＯＦＤＭＡ送信のための直交周波数分割多元接続（ＯＦＤＭＡ）リソースユニット（ＲＵ）に適したトーンプランを提供する。２０ＭＨｚにおける実施例は、直交周波数分割多重（ＯＦＤＭ）フレームの一方のエッジにある６個のヌルトーン、ＯＦＤＭフレームの他方のエッジにある５個のヌルトーン、及び直流（ＤＣ）領域内の３個のヌルトーンを含む。４０ＭＨｚのための実施例のＯＦＤＭフレームは、ＤＣ領域内及びエッジ上の追加のヌルトーンを伴う、ＲＵにグループ化された２４２×２＝４８４個のデータ及びパイロットトーンを有する。単一ユーザ（ＳＵ）フレームは、単一ユーザのためにスケジュールされる。マルチユーザＯＦＤＭＡフレームは、複数のユーザのためにスケジュールされることができる。他の実施例では、８０ＭＨｚのＯＦＤＭ伝送の場合、ＤＣ領域内の５個のヌルトーン、又はＤＣ領域内の７個のヌルトーンのいずれかがある。別の実施例では、２０ＭＨｚ、４０ＭＨｚ、８０ＭＨｚのＯＦＤＭＡトーンプランは２６トーンＲＵを使用し、２０ＭＨｚのＳＵスケジューリングは２４２トーンＲＵを使用する。ＯＦＤＭＡ又はＳＵフレームは、ダウンリンクフレーム又はアップリンクフレームであり得る。
【００２６】
一実施例のＯＦＤＭフレームでは、各２４２トーンブロック内に８個の余剰トーンがある。余剰トーンは、隣接するブロックからのリークを減らすために、異なるＲＵ、特により小さいサイズのＲＵ間のセパレータとして使用されることができる。エッジの近くにある追加のヌルトーンは、パルス整形フィルタ、隣接するブロッカ（blocker）などからの保護に使用されることができる。余剰トーン、ＤＣトーン、又はエッジトーンではデータは伝送されない。すなわち、余剰トーン、ＤＣトーン、エッジトーンは全てヌルトーンである。余剰トーンはエッジトーンに隣接することができ、その場合、エッジの近くにあるヌルトーンの数は、エッジトーンの数とエッジトーンに隣接する余剰トーンの数の合計に等しくなる。また、余剰トーンはＤＣトーンに隣接することができ、その場合、ＤＣ領域におけるヌルトーンの数は、ＤＣトーンの数とＤＣ領域に隣接する余剰トーンの数の合計に等しくなる。エッジトーンは、同様に、ガードトーンと呼ばれ得る。
【００２７】
トーンプラン及びＲＵ割り当てを決定する際に考慮され得るいくつかの要因がある。ＲＵは、２０ＭＨｚ、４０ＭＨｚ、及び８０ＭＨｚのフレーム構成の間で位置合わせされることができる。エッジトーン及びＤＣトーンの近くにあるＲＵにおけるトーンを保護するために、ＤＣ領域内のヌルトーン及びエッジにおけるヌルトーンは、スペクトルマスク及びキャリア周波数オフセット（ＣＦＯ）要件に基づいて割り当てられることができる。トーンプランとＲＵ割り当てを決定する際のその他の考慮点は、例えば、ＲＵを位置合わせして、ＤＣトーン及びエッジトーンの近くにあるＲＵにおけるトーンを保護するための、余剰トーンの使用を含む。エッジトーン、ＤＣトーン、及び余剰トーンはヌルトーンであり、データ又はパイロットを送信するために使用されない。
【００２８】
歪みは、ＳＵフレームのエッジの近くにあるＲＵにおけるトーンよりも、ＯＦＤＭＡフレームのエッジの近くにあるＲＵにおけるトーンに、より著しく影響を与える可能性がある。一例では、ＳＵフレームとＯＦＤＭＡフレームの両方に使用されるトーンプランは同様である。あるいは、ＳＵフレームとＯＦＤＭＡフレームのためのトーンは異なる。一例では、エッジの近くにあるＲＵ及びＤＣ領域内のＲＵに対する追加の保護を提供するために、追加のヌルトーンがＯＦＤＭＡフレームにおいて使用される。したがって、ＯＦＤＭＡフレームは、ＳＵフレームと比べると、エッジの近くに更に多くのヌルトーンを有するとともに、ＤＣ領域内に更に多くのヌルトーンを有することができる。エッジの近くにあるヌルトーンは、データ及びパイロットトーンに対する送信フィルタリングの影響を軽減するために、送信帯域のエッジにガードトーンとして配置される。ＤＣ領域内のヌルトーンは、ＯＦＤＭ周波数帯域の中心を見つけるためにモバイル機器によって使用される空の副搬送波（すなわち、データ／情報を搬送しない副搬送波）である。
【００２９】
実施例は、４０ＭＨｚ及び８０ＭＨｚのＯＦＤＭフレームのためのトーンプランを提供する。いくつかの実施例では、例えば４０ｐｐｍのＣＦＯを有する、５個のＤＣトーンが使用される。他の実施例では、例えば８０ＭＨｚの場合、７個のＤＣトーン、又は５個のＤＣトーンが使用されることができる。様々な実施例において、ヌルトーンは、ＲＵを位置合わせして、ＤＣ領域及びエッジの近くにあるトーンを保護するために利用される。
【００３０】
実施例の４０ＭＨｚのトーンプランでは、データ及びパイロットトーンを含む２個の２４２トーンＲＵと、ＤＣ領域内のヌルトーン及びエッジの近くにあるヌルトーンに割り当てられた２８トーンとがある。一例では、ＤＣ領域には５個のヌルトーンがあり、エッジの近くには［１２、１１］個のヌルトーンがある。表記［Ａ、Ｂ］は、ＯＦＤＭフレームの一方のエッジ上のＡ個のエッジトーンと、ＯＦＤＭフレームの他方のエッジ上のＢ個のエッジトーンを示す。実施例の８０ＭＨｚのトーンプランでは、エッジの近くには［１３、１２］個のヌルトーンがあり、ＤＣ領域には５個のヌルトーンがある。別の実施例の８０ＭＨｚのトーンプランでは、エッジの近くには［１２、１１］個のヌルトーンがあり、ＤＣ領域には７個のヌルトーンがある。データ、パイロット、余剰トーンのために９９４個のトーンがあり得る。一実施例では、ＳＵフレーム及びＯＦＤＭＡフレームに関して、トーンプランは同じである。あるいは、ＳＵフレームのためのトーンプランは、ＯＦＤＭＡフレームのためのトーンプランとは異なる。
【００３１】
フレームが送信される前に、送信フィルタリングが実行されることができる。送信フィルタは、スペクトルマスクに基づくことができる。余剰トーンは、エッジにおけるヌルトーン及びＤＣ領域内のヌルトーンの近くにあるＲＵを保護するために使用されることができる。
【００３２】
ＯＦＤＭＡでは、異なるＲＵが異なるＳＴＡに割り当てられる。任意の数のＲＵが、特定のＳＴＡに割り当てられることができる。各ＳＴＡはチャネルを推定し、メッセージ全体を再生する。シグナリングフィールドは、各ＳＴＡによって、どの（複数の）ＲＵがその特定のＳＴＡに割り当てられているかを判定するために使用される。
【００３３】
図７は、２０ＭＨｚのＯＦＤＭＡフレームのための、実施例のトーンプラン７４０を例示する。合計２４２個のデータ、パイロット、及び余剰トーンがある。ＤＣトーン及びエッジトーンの近くにあるＲＵの保護のために、ＤＣ領域内のヌルトーンの数、及びエッジの近くにあるヌルトーンの数を増やすように余剰トーンが使用される。ＤＣトーンの近くにあるＲＵを保護するために使用される余剰トーンは、ＤＣ領域内のヌルトーンの数を増やす。また、エッジトーンの近くにあるＲＵを保護するために使用される余剰トーンは、エッジの近くにあるヌルトーンの数を増やす。ＤＣトーン、エッジトーン、及び余剰トーンは全てヌルトーンである。ＲＵ７４４内のトーンはデータ及びパイロットトーンを含み、トーン７４６、７４７、及び７４２は余剰トーンであり、それらはヌルトーンである。パイロットトーンは、ＲＵ７４４内のトーンにおいて、ＲＵ全体に分散されることができる。ＲＵによって搬送される別々のパイロットトーンは、ＲＵで搬送されるデータトーンの位相及び／又は周波数オフセットを調整又は推定するために使用されることができる。例えば、異なるＳＴＡによって送信されたＲＵを搬送するアップリンクＯＦＤＭＡフレームにおいて、それぞれのＲＵで搬送されるパイロットトーンは、アップリンクＯＦＤＭＡフレームに関する残留キャリア周波数オフセット推定を実行するために、サービングＡＰ（serving  AP）によって使用されることができる。８個の２６トーンＲＵ７４４と、ＤＣ領域７４３内のヌルトーンの両側にある１３個のトーンに分割される２６トーンＲＵ７４５とを含んでいる、２３４個のデータ及びパイロットトーンがある。エッジトーン及びＤＣトーンの近くにあるＲＵを保護するために使用される８個の余剰トーンがある。余剰トーン７４２のうちの２つは、ＤＣトーン７４８の両側で使用される。エッジ７４７の近くにある８個のヌルトーンを得るために、２個の余剰トーン７４６が６個のエッジトーン７４９に隣接して配置される。また、エッジ７４７の近くにある７個のヌルトーンを得るために、２個の余剰トーン７４６が５個のエッジトーン７４９に隣接して配置される。
【００３４】
図８は、ＯＦＤＭＡ及びＳＵフレームのための４０ＭＨｚ伝送に適したトーンプラン８５０を例示する。データ、パイロット、及び余剰トーンのための４８４個のトーン、並びにＤＣ及びエッジトーンのための２８個のトーンがある。トーンプラン８５０は、ＯＦＤＭＡトーンプラン８７０、及びＳＵトーンプラン８７２を含む。ＯＦＤＭＡトーンプラン８７０内のトーンは、複数のＳＴＡに送信されるか、又は複数のＳＴＡから受信される。ＳＵトーンプラン８７２内のトーンは、単一のＳＴＡに送信されるか、又は単一のＳＴＡから受信される。
【００３５】
ＳＵトーンプラン８７２は、５個のＤＣトーン８５２を含む。５個のＤＣトーン８５２はＤＣ領域に含まれる。ＤＣトーン８５２の両側には、２４２トーンＲＵ８６４がある。各２４２トーンＲＵは、４個のパイロットトーン、及び２３８個のデータトーンを含む。一方のエッジは１２個のエッジトーン８６６を含む。他方のエッジは１１個のエッジトーン８６８を含む。
【００３６】
ＯＦＤＭＡトーンプラン８７０のＲＵ及び余剰トーンは、ＳＵトーンプラン８７２のＲＵと位置合わせされる。ＯＦＤＭＡトーンプラン８７０は、５個のＤＣトーン８５２を含む。ＤＣ領域８５３内のヌルトーンの近くにあるＲＵを保護するように、ＤＣ領域８５３内の１３個のヌルトーンを得るために、４個の余剰トーン８５４がＤＣトーン８５２の両側にある。一方のエッジには１２個のエッジトーン８６０がある。エッジ８６１の近くにある１６個のヌルトーンを得るために、４個の余剰トーン８５６がエッジトーン８６０に隣接している。他方のエッジには１１個のエッジトーン８６２があるとともに、エッジ８６３の近くにある１５個のヌルトーンを得るために、４個の余剰トーン８５７がエッジトーン８６２に隣接している。４６８個のデータ及びパイロットトーンは１８個の２６トーンＲＵに分散されている。２６トーンＲＵのうちの９個が、ＤＣ領域８５３の両側に配置される。各２６トーンＲＵは、２個のパイロットトーン、及び２４個のデータトーンを含む。
【００３７】
図９は、ＯＦＤＭＡ及びＳＵフレームのための８０ＭＨｚトーンプラン９５０を例示する。９９４個のデータ、パイロット、及び余剰トーン、並びに３０個のＤＣ及びエッジトーンがある。トーンプラン９５０は、ＯＦＤＭＡトーンプラン９７９、及びＳＵトーンプラン９７８を含む。ＯＦＤＭＡトーンプラン９７９内のトーンは、複数のＳＴＡに送信されるか、又は複数のＳＴＡから受信される。ＳＵトーンプラン９７８内のトーンは、単一のＳＴＡに送信されるか、又は単一のＳＴＡから受信される。ＯＦＤＭＡトーンプラン９７９のＲＵは、ＳＵトーンプラン９７８のＲＵと位置合わせされる。
【００３８】
ＳＵトーンプラン９７８は、５個のＤＣトーン９６６を含む。ＲＵ９６８は、２個の１３トーン部分に分割される。５個のＤＣトーン９６６が、ＲＵ９６８のそれぞれの１３トーン部分の間に配置される。４個の２４２トーンＲＵを得るために、ＲＵ９７０内のトーンは両側に２組の２４２トーンＲＵを含む。１３個のエッジトーン９７４が一方のエッジにあり、１２個のエッジトーン９７５が反対のエッジにある。
【００３９】
ＯＦＤＭＡトーンプラン９７９のＲＵ、ＤＣトーン、及びエッジトーンは、それぞれ、ＳＵトーンプラン９７８のＲＵ、ＤＣトーン、及びエッジトーンと位置合わせされる。ＯＦＤＭＡトーンプラン９７９には、３７個の２６トーンＲＵにグループ化された２６２個のパイロット及びデータトーンがある。ＯＦＤＭＡトーンプラン９７９は、５個のＤＣトーン９５２を含み、これらはＤＣトーン９６６と位置合わせされる。ＤＣ領域には合計５個のヌルトーンがある。また、ＯＦＤＭＡトーンプラン９７９は、１３個のエッジトーン９６４を含む。エッジ９６３における合計２１個のヌルトーンを得るために、８個の余剰トーン９６２はエッジトーン９６４に隣接している。また、ＯＦＤＭＡトーンプラン９７９は、１２個のエッジトーン９６５を含む。エッジ９６７の近くにある合計２０個のヌルトーンを得るために、余剰トーン９６３はエッジトーン９６５に隣接している。２６トーンＲＵ９５４は、ＤＣトーン９５２によって分割され、ＤＣトーン９５２の両側に１３トーンを有する。４組の９個の２６トーンＲＵ９６０、９５６、９５７、及び９６１がある。余剰トーンは、トーン９６２、９５８、９５９、９６３を含む。トーン９５８及び９５９は、９個の２６トーンＲＵの組の間にある。
【００４０】
図１０は、ＯＦＤＭＡフレーム及びＳＵフレームのための８０ＭＨｚトーンプラン１０８０を例示する。９９４個のデータ、パイロット、及び余剰トーン、並びに３０個のＤＣ及びエッジトーンがある。トーンプラン１０８０は、ＯＦＤＭＡトーンプラン１００６、及びＳＵトーンプラン１００８を含む。ＯＦＤＭＡトーンプラン１００６内のトーンは、複数のＳＴＡに送信されるか、又は複数のＳＴＡから受信される。ＳＵトーンプラン１００８内のトーンは、単一のＳＴＡに送信されるか、又は単一のＳＴＡから受信される。ＯＦＤＭＡトーンプラン１００６のＲＵ、ＤＣトーン、及びエッジトーンは、それぞれ、ＳＵトーンプラン１００８のＲＵ、ＤＣトーン、及びエッジトーンと位置合わせされる。
【００４１】
ＳＵトーンプラン１００８は、７個のＤＣトーン１０９６を含む。ＤＣ領域には合計７個のヌルトーンがある。また、ＲＵ１０９８は２個の１３トーン部分を含む。ＤＣトーン１０９６は、ＲＵ１０９８のそれぞれの１３トーン部分の間に配置される。ＲＵ１０００は、ＤＣトーン１０９６及びＲＵ１０９８の両側に２組の２４２トーンＲＵを含む。一方のエッジにおける合計１２個のヌルトーンを得るために、１２個のエッジトーン１００２がそのエッジにあり、反対側のエッジにおける１１個のヌルトーンを得るために、１１個のエッジトーン１００４がそのエッジにある。
【００４２】
ＯＦＤＭＡトーンプラン１００６は、ＳＵトーンプラン１００８と位置合わせされる。ＯＦＤＭＡトーンプラン１００６には合計３７個の２６トーンＲＵがある。ＤＣ領域内の合計７個のヌルトーンを得るために、ＯＦＤＭＡトーンプラン１００６は７個のＤＣトーン１０８２を含む。また、ＯＦＤＭＡトーンプラン１００６は、１２個のエッジトーン１０９４、及び１１個のエッジトーン１０９５を含む。余剰トーンは、４組の８個のトーン１０９２、１０８８、１０８９、及び１０９３を含む。エッジ１０９３における２０個のヌルトーンを得るために、８個のトーン１０９２がエッジトーン１０９４に隣接している。また、エッジ１０９７における１９個のヌルトーンを得るために、８個の余剰トーン１０９３がエッジトーン１０９５に隣接している。トーン１０８８及びトーン１０８９は、９個の２６トーンＲＵの組の間にある。２６個のトーン１０８４は、ＤＣトーン１０８２の両側に１３個のトーンを含む。４組の９個の２６トーンＲＵ１０９０、１０８６、１０７８、１０９１がある。
【００４３】
別の実施例では、合計３７個の２６トーンＲＵがある。２６トーンＲＵのうちの１つは、ＳＴＡをスケジューリングするために使用されることができる。
【００４４】
追加の例は、異なるサイズのＲＵを含むことができる。例えば、ＲＵは、２６個のトーン、５２個のトーン、１０６個のトーン、２４２個のトーン、又は別の数のトーンを含むことができる。
【００４５】
フレームのシグナリングフィールドに基づくダウンリンクフレームの場合、受信器は、どのＲＵがそのＳＴＡに対してスケジュールされているかを判定する。受信器は、パイロットを使用してＣＦＯ推定を行うことができる。残留周波数オフセット補償は、ＯＦＤＭＡ送信で搬送される専用パイロットに基づいて、キャリア周波数オフセットを推定することを含むことができる。
【００４６】
実施例は、４０ＭＨｚ及び８０ＭＨｚのＯＦＤＭＡ送信のためのトーンプランを含む。一実施例では、ＯＦＤＭＡトーンプランは、ＳＵトーンプランと同じか又は同様である。あるいは、ＯＦＤＭＡトーンプランは、ＳＵトーンプランとは異なる。一実施例では、４０ｐｐｍのＣＦＯの場合の５個のＤＣトーンがある。一実施例では、ＯＦＤＭＡフレーム用の２６トーンＲＵは、ＳＵフレーム用の２４２トーンＲＵと位置合わせされるとともに、１個のＲＵは別のＲＵの位置と重複しない。一実施例では、余剰トーンを利用してＲＵを位置合わせするとともに、ＤＣトーン及びエッジトーンの近くにあるトーンを保護する。一実施例では、１個の２６トーンＲＵが８０ＭＨｚでのスケジューリングのために使用される。
【００４７】
図１１は、本明細書で説明された方法を実行するための、実施例の処理システム１１００のブロック図であり、それはホスト装置にインストールされることができる。図示されるように、処理システム１１００は、プロセッサ１１０４、メモリ１１０６、及びインタフェース１１１０〜１１１４を含み、それらは図１１に示されるように配置されてもよい（し、又は配置されなくてもよい）。プロセッサ１１０４は、計算及び／又は他の処理関連タスクを実行するように構成された任意のコンポーネント、若しくはコンポーネントの集合であることができ、そしてメモリ１１０６は、プロセッサ１１０４による実行のためのプログラミング及び／又は命令を格納するように構成された任意のコンポーネント、若しくはコンポーネントの集合であることができる。一実施例では、メモリ１１０６は、非一時的なコンピュータ読み取り可能な媒体を含む。インタフェース１１１０、１１１２、１１１４は、処理システム１１００が、他のデバイス／コンポーネント、及び／又はユーザと通信することを可能にする任意のコンポーネント、若しくはコンポーネントの集合であることができる。例えば、インタフェース１１１０、１１１２、１１１４のうちの１つ又は複数は、ホストデバイス及び／又はリモートデバイスにインストールされたアプリケーションに対して、プロセッサ１１０４からのデータ、制御、若しくは管理メッセージを通信するように構成されることができる。別の例として、インタフェース１１１０、１１１２、１１１４のうちの１つ又は複数は、ユーザ、若しくはユーザデバイス（例えば、パーソナルコンピュータ（ＰＣ）など）が処理システム１１００と対話／通信することを可能にするように構成されることができる。処理システム１１００は、長期記憶装置（例えば、不揮発性メモリなど）のような、図１１に示されていない追加のコンポーネントを含むことができる。
【００４８】
いくつかの実施例では、処理システム１１００は、電気通信ネットワークにアクセスしているか、そうでなければ電気通信ネットワークの一部であるネットワークデバイスに含まれる。一例では、処理システム１１００は、基地局、中継局、スケジューラ、コントローラ、ゲートウェイ、ルータ、アプリケーションサーバ、又は電気通信ネットワーク内の任意の他のデバイスのような、無線又は有線電気通信ネットワーク内のネットワーク側装置内にある。他の実施例では、処理システム１１００は、移動局、ユーザ機器（ＵＥ）、パーソナルコンピュータ（ＰＣ）、タブレット、ウェアラブル通信デバイス（例えば、スマートウォッチなど）、又は電気通信ネットワークにアクセスするように構成された任意の他のデバイスのような、無線又は有線電気通信ネットワークにアクセスするユーザ側装置内にある。
【００４９】
いくつかの実施例では、インタフェース１１１０、１１１２、１１１４のうちの１つ又は複数は、電気通信ネットワークを介してシグナリングを送受信するように構成されたトランシーバに、処理システム１１００を接続する。図１２は、電気通信ネットワークを介してシグナリングを送受信するように構成されたトランシーバ１２００のブロック図を例示する。トランシーバ１２００は、ホストデバイスにインストールされることができる。図示されるように、トランシーバ１２００は、ネットワーク側インタフェース１２０２、結合器１２０４、送信器１２０６、受信器１２０８、信号プロセッサ１２１０、及びデバイス側インタフェース１２１２を備える。ネットワーク側インタフェース１２０２は、無線又は有線電気通信ネットワークを介してシグナリングを送信又は受信するように構成された任意のコンポーネント、若しくはコンポーネントの集合を含むことができる。結合器１２０４は、ネットワーク側インタフェース１２０２を介した双方向通信を可能にするように構成された任意のコンポーネント、若しくはコンポーネントの集合を含むことができる。送信器１２０６は、ベースバンド信号を、ネットワーク側インタフェース１２０２を介した送信に適した変調された搬送波信号に変換するように構成された任意のコンポーネント、若しくはコンポーネントの集合（例えば、アップコンバータ、電力増幅器など）を含むことができる。受信器１２０８は、ネットワーク側インタフェース１２０２を介して受信された搬送波信号をベースバンド信号に変換するように構成された任意のコンポーネント、若しくはコンポーネントの集合（例えば、ダウンコンバータ、低雑音増幅器など）を含むことができる。信号プロセッサ１２１０は、ベースバンド信号を、（複数の）デバイス側インタフェース１２１２を介した通信に適したデータ信号に変換するように構成された任意のコンポーネント、若しくはコンポーネントの集合を含むことができ、又はその逆も可能である。（複数の）デバイス側インタフェース１２１２は、信号プロセッサ１２１０とホストデバイス内のコンポーネント（例えば、処理システム１１００、ローカルエリアネットワーク（ＬＡＮ）ポートなど）との間でデータ信号を通信するように構成された任意のコンポーネント、若しくはコンポーネントの集合を含むことができる。
【００５０】
トランシーバ１２００は、任意のタイプの通信媒体を介してシグナリングを送受信することができる。いくつかの実施例では、トランシーバ１２００は、無線媒体を介してシグナリングを送受信する。例えば、トランシーバ１２００は、セルラプロトコル（例えば、ロングタームエボリューション（ＬＴＥ）など）、無線ローカルエリアネットワーク（ＷＬＡＮ）プロトコル（例えば、ＷｉＦｉなど）、又は任意の他のタイプの無線プロトコル（例えば、ブルートゥース、近距離通信（ＮＦＣ）など）のような無線電気通信プロトコルに従って通信するように構成された無線トランシーバであり得る。そのような実施例では、ネットワーク側インタフェース１２０２は、１つ又は複数のアンテナ／放射要素を備える。例えば、ネットワーク側インタフェース１２０２は、単一アンテナ、複数の別個のアンテナ、又はマルチレイヤ通信、例えば単一入力複数出力（ＳＩＭＯ）、複数入力単一出力（ＭＩＳＯ）、複数入力複数出力（ＭＩＭＯ）などのために構成されたマルチアンテナアレイなどを含み得る。他の実施例では、トランシーバ１２００は、有線媒体、例えばツイストペアケーブル、同軸ケーブル、光ファイバなどを介してシグナリングを送受信する。特定の処理システム及び／又はトランシーバは、示されたコンポーネントの全て、又はコンポーネントのサブセットのみを利用することができ、統合のレベルはデバイスごとに異なり得る。
【００５１】
いくつかの実施例が本開示で提供されているが、開示されたシステム及び方法は、本開示の精神又は範囲から逸脱することなく、多くの他の特定の形式で具体化され得る、ということが理解されるべきである。本実例は、例示的であり、限定的ではないとみなされるべきであり、その意図は、本明細書で与えられた詳細に限定されるべきではない、ということである。例えば、様々な要素又はコンポーネントは、別のシステムに結合若しくは統合されてもよく、又は特定の機能は、省略されてもよいか、若しくは実装されなくてもよい。
【００５２】
さらに、様々な実施例において個別的又は別々に説明及び例示されている技術、システム、サブシステム、及び方法は、本開示の範囲から逸脱することなく、他のシステム、モジュール、技術、又は方法と結合されるか、若しくは統合されることができる。互いに接続されるか若しくは直接接続されるか若しくは通信するように示されるか、又は議論される他の項目は、電気的、機械的、若しくはその他にせよ、何らかのインタフェース、デバイス、又は中間コンポーネントを介して、間接的に接続されるか、若しくは通信していてもよい。変更、置換、及び修正の他の例が、当業者により確認可能であるとともに、本明細書に開示された精神及び範囲から逸脱することなく実行されることができる。
【符号の説明】
【００５３】
１００  ネットワーク
１１０  アクセスポイント（ＡＰ）
１２０  移動局
１３０  バックホールネットワーク
【図１】
2020025291.tif 000003
【図２】
2020025291.tif 000004
【図３Ａ】
2020025291.tif 000005
【図３Ｂ】
2020025291.tif 000006
【図４Ａ】
2020025291.tif 000007
【図４Ｂ】
2020025291.tif 000008
【図５Ａ】
2020025291.tif 000009
【図５Ｂ】
2020025291.tif 000010
【図６Ａ】
2020025291.tif 000011
【図６Ｂ】
2020025291.tif 000012
【図７】
2020025291.tif 000013
【図８】
2020025291.tif 000014
【図９】
2020025291.tif 000015
【図１０】
2020025291.tif 000016
【図１１】
2020025291.tif 000017
【図１２】
2020025291.tif 000018
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
米国電気電子学会（ＩＥＥＥ）８０２．１１ａｘ標準に従い直交周波数分割多元接続（ＯＦＤＭＡ）通信を実施する方法であって、
前記ＩＥＥＥ８０２．１１ａｘ標準のダウンリング又はアップリンクフレームを送信又は受信するステップ、を含み、
前記ＩＥＥＥ８０２．１１ａｘ標準はトーンプランを採用し、前記トーンプランは、第１組のデータ及びパイロットトーン、第２組のデータ及びパイロットトーン、並びに前記第１組のデータ及びパイロットトーンと前記第２組のデータ及びパイロットトーンとの間の直流（ＤＣ）領域を含み、
前記トーンプランは、第１エッジ領域及び第２エッジ領域を更に含み、前記第１組のデータ及びパイロットトーンは前記第１エッジ領域と前記ＤＣ領域との間に位置し、前記第２組のデータ及びパイロットトーンは前記ＤＣ領域と前記第２エッジ領域との間に位置し、前記第１エッジ領域は１２個のガードトーンを含み、前記第２エッジ領域は１１個のガードトーンを含む、方法。
【請求項２】
前記トーンプランは、８０ＭＨｚチャネルのトーンプランであり、前記第１組のデータ及びパイロットトーンは、１８個の２６トーンＲＵと二分された２６トーンＲＵの最初の１３個のトーンとを含み、前記第２組のデータ及びパイロットトーンは、１８個の２６トーンＲＵと前記二分された２６トーンＲＵの残りの１３個のトーンとを含む、請求項１に記載の方法。
【請求項３】
前記トーンプランは、８０ＭＨｚチャネルのトーンプランであり、前記第１組のデータ及びパイロットトーンは、第１のデータ及びパイロットトーンサブセット及び第２のデータ及びパイロットトーンサブセットを含み、前記第１のデータ及びパイロットトーンサブセットは、前記第１エッジ領域と前記第２のデータ及びパイロットトーンサブセットとの間に位置し、前記第２のデータ及びパイロットトーンサブセットは、前記第１のデータ及びパイロットトーンサブセットと前記ＤＣ領域との間に位置し、前記トーンプランは、前記第１のデータ及びパイロットトーンサブセットと前記第２のデータ及びパイロットトーンサブセットとの間に位置する余剰トーンを更に含み、
前記第２組のデータ及びパイロットトーンは、第３のデータ及びパイロットトーンサブセット及び第４のデータ及びパイロットトーンサブセットを含み、前記第３のデータ及びパイロットトーンサブセットは、前記ＤＣ領域と前記第４のデータ及びパイロットトーンサブセットとの間に位置し、前記第４のデータ及びパイロットトーンサブセットは、前記第３のデータ及びパイロットトーンサブセットと前記第２エッジ領域との間に位置し、前記トーンプランは、前記第３のデータ及びパイロットトーンサブセットと前記第４のデータ及びパイロットトーンサブセットとの間に位置する余剰トーンを更に含む、請求項１又は２に記載の方法。
【請求項４】
前記トーンプランは、前記第１エッジ領域と前記第１のデータ及びパイロットトーンサブセットとの間に位置する余剰トーンを更に含み、前記トーンプランは、前記第４のデータ及びパイロットトーンサブセットと前記第２エッジ領域との間に位置する余剰トーンを更に含む、請求項３に記載の方法。
【請求項５】
前記トーンプランは、前記第２のデータ及びパイロットトーンサブセットと前記ＤＣ領域との間に位置する余剰トーンを更に含み、前記トーンプランは、前記ＤＣ領域と前記第３のデータ及びパイロットトーンサブセットとの間に位置する余剰トーンを更に含む、請求項３又は４に記載の方法。
【請求項６】
前記第１のデータ及びパイロットトーンサブセットは９個の２６トーンＲＵを含み、前記第２のデータ及びパイロットトーンサブセットは、９個の２６トーンＲＵと二分された２６トーンＲＵの最初の１３個のトーンとを含み、前記第３のデータ及びパイロットトーンサブセットは、９個の２６トーンＲＵと二分された２６トーンＲＵの残りの１３個のトーンとを含み、前記第４のデータ及びパイロットトーンサブセットは９個の２６トーンＲＵを含む、請求項３乃至５のいずれか一項に記載の方法。
【請求項７】
前記トーンプランは、８０ＭＨｚチャネルのトーンプランであり、前記第１組のデータ及びパイロットトーンは、２個の２４２トーンＲＵと二分された２６トーンＲＵの最初の１３個のトーンとを含み、前記第２組のデータ及びパイロットトーンは、２個の２４２トーンＲＵと前記二分された２６トーンＲＵの残りの１３個のトーンとを含む、請求項１に記載の方法。
【請求項８】
前記トーンプランは４０ＭＨｚチャネルのトーンプランであり、前記第１組のデータ及びパイロットトーンは９個の２６トーンＲＵを含み、前記第２組のデータ及びパイロットトーンは９個の２６トーンＲＵを含む、請求項１に記載の方法。
【請求項９】
前記トーンプランは４０ＭＨｚチャネルのトーンプランであり、前記第１組のデータ及びパイロットトーンは１個の２４２トーンＲＵを含み、前記第２組のデータ及びパイロットトーンは１個の２４２トーンＲＵを含む、請求項１に記載の方法。
【請求項１０】
前記トーンプランは４０ＭＨｚチャネルのトーンプランであり、前記ＤＣ領域は５個のＤＣトーンを含む、請求項１又は９に記載の方法。
【請求項１１】
前記トーンプランは８０ＭＨｚチャネルのトーンプランであり、前記ＤＣ領域は７個のＤＣトーンを含む、請求項１乃至７のいずれか一項に記載の方法。
【請求項１２】
米国電気電子学会（ＩＥＥＥ）８０２．１１ａｘ標準に従い直交周波数分割多元接続（ＯＦＤＭＡ）通信を実施する機器であって、請求項１乃至１１のいずれか一項に記載の方法を実行するよう構成される装置。
【請求項１３】
コンピュータにより実行されると前記コンピュータに請求項１乃至１１のいずれか一項に記載の方法を実行させる命令を含むコンピュータ可読記憶媒体。
【外国語明細書】
2020025291000001.pdf